【事件の表示】
　特願２００７−５１８３６０「統合マルチパーティ調停を有した無線装置アプリケーションとサービスのための仮想市場」拒絶査定不服審判事件〔平成１８年　１月１２日国際公開、ＷＯ２００６／００４７０４、平成２０年　２月１４日国内公表、特表２００８−５０４７５２〕について、次のとおり審決する。
【結　論】
　本件審判の請求は、成り立たない。
【理　由】
１．手続の経緯と本願発明 
　本願は、２００５年　６月２７日（パリ条約による優先権主張外国庁受理２００４年　６月２８日、（ＵＳ）米国）を国際出願日とする出願であって、平成２２年　３月３１日付けで拒絶査定がなされ、これに対し、平成２２年　８月　６日付けで審判請求がなされるとともに誤訳訂正がなされたものである。
　本願特許請求の範囲の請求項２６に係る発明（以下、「本願発明」という。）は、明細書、特許請求の範囲及び図面の記載からみて、平成２２年　８月　６日付け誤訳訂正書の特許請求の範囲の請求項２６に記載された以下のとおりのものと認める。 
　
「　　【請求項２６】
　複数の開発者からの１つ以上のアプリケーションまたはサービスへのアクセスを提供し、無線ネットワークを介して無線装置によりアクセス可能な仮想市場を提供するシステムにおいて、
　前記無線ネットワーク上の他のコンピューター装置と選択的に対話し、アプリケーションを選択的にダウンロードし実行する無線遠隔通信手段であって、前記無線遠隔通信手段は、無線通信サポートを提供する通信事業者を有する、手段と、
　前記無線ネットワーク上のコンピューター装置により保持され、前記無線遠隔通信手段の通信事業者によりアクセス可能な１つ以上のアプリケーションをリストアップするアプリケーション供給手段と、
　前記アプリケーション供給手段上のアプリケーションの少なくとも１つとの対話に対して請求する前記無線ネットワーク上の請求手段であって、前記請求手段は無線ネットワーク上のビリングサーバーにより、さらに前記少なくとも１つのアプリケーションとの前記対話に対して請求書をさらに発生する請求手段と、
を備えたシステム。」 
　 
２．引用発明 
　これに対して、原査定の拒絶理由に引用された米国特許出願公開２００４／００４３７５３号明細書（公開日２００４年　３月　４日）（以下、「引用例」という。）には、「SYSTEM AND METHOD FOR THIRD PARTY APPLICATION SALES AND SERVICES TO WIRELESS DEVICES」(無線装置へのサードパーティのアプリケーションの販売およびサービスのためのシステムおよび方法）（（　）内は、仮訳として、日本国におけるファミリー出願の日本語訳を記載。以下も同様。）として、図面とともに以下の事項が記載されている。
 　
イ．「［0002］ The present invention generally relates to wireless devices and wireless networks. More particularly, the invention relates to a system and method that permits third party application sales and services to wireless telecommunication devices across a wireless network, and the system properly accounts for and bills wireless service subscribers, and provides the appropriate proceeds to the third party for sold applications and services.」（１頁左欄）
（［0002］本発明は、概ね、無線装置および無線ネットワークに関する。とくに、本発明は、無線ネットワークを横切って無線遠隔通信装置へのサードパーティのアプリケーションの販売およびサービスを可能にするシステムおよび方法に関し、システムは、適正に明細を明らかにして、無線サービスの加入者に請求書を発行し、販売されたアプリケーションおよびサービスの適切な売り上げをサードパーティに与える。）
　
ロ．「［0007］ The present invention is a system, method, and computer program for billing wireless device subscribers for their interaction with applications and services resident on third party computer devices that are accessible through a wireless network. The wireless devices, such as cellular telecommunication devices, communicate with other computer devices across a wireless network and an end-user thereof, who is not necessarily the subscriber for the wireless service for that wireless device, can selectively download and execute software applications on the computer platform. Also on the wireless network are third party computer devices, such as application download servers, that selectively provide value-added applications and services to the wireless devices and the interaction of the wireless devices with the applications of the third party computer devices causes billable events to occur, such as an application download execution, or access. A billing server ultimately gathers the billable event data across the wireless network, generates billing for the wireless device subscribers, and effects payment of the third party for the billable events of wireless devices with the computer devices of the third party. 
［0008］ The system includes one or more wireless devices where each include a computer platform and an end-user thereof, with one or more third party computer devices that selectively provide applications and services to the one or more wireless devices across the wireless network, and the interaction of the wireless devices with the applications or services of the third party computer devices causes one or more billable events to occur for the interacting wireless device. At least one billing server is in the system that gathers at least the billable event data from wireless device interaction with the one or more third party computer devices, and also effects payment of the third party based upon the gathered billable event data for the billable events at the third parties' computer devices. In one embodiment, the billing server also generates a bill for each wireless device for the billable events. 
［0009］ The method of billing for third party applications and services provided to the wireless devices of subscribers to a wireless network includes the steps of causing a billable event to occur through wireless device interaction with a third party computer device, aggregating the billable events into billable event data at a billing server, billing the appropriate subscriber for each billable event based upon the billable event data at the billing server, and effecting payment of the third party for the billable events at the third party computer device. The method can also include the steps of billing the wireless subscriber from the billing server and prompting the third party computer devices to transmit gathered billable event data to the billing server. 
［0010］ The system and method accordingly allow wireless service providers the ability to provide and bill for wireless telecommunication device activity, such as application download and execution, with third party computer devices accessible through the wireless network. The system and method accordingly give an advantage to the service provider in that the provider can give its subscribers access to additional value-added services of third parties and effectively capture and share the revenue from the billed services. Moreover, the billing system does not require the subscriber to contact the service provider or the third party to receive or access the additional service. 
［0011］ Other objects, advantages, and features of the present invention will become apparent after review of the hereinafter set forth Brief Description of the Drawings, Detailed Description of the Invention, and the Claims.」（１頁左欄〜右欄）
（［0007］本発明は、無線装置の加入者に、無線ネットワークを介してアクセス可能なサードパーティのコンピュータ装置上にあるアプリケーションおよびサービスとの対話に対して請求書を発行するためのシステム、方法、およびコンピュータプログラムである。セルラ遠隔通信装置のような無線装置は、無線ネットワークを横切って他のコンピュータ装置と通信し、そのエンドユーザは、必ずしもその無線装置の無線サービスの加入者ではないが、コンピュータプラットフォーム上のソフトウエアアプリケーションを選択的にダウンロードして実行することができる。さらに加えて、無線ネットワーク上のアプリケーションダウンロードサーバのようなサードパーティのコンピュータ装置は、付加価値アプリケーションおよびサービスを無線装置に選択的に与え、無線装置とサードパーティのコンピュータ装置のアプリケーションとの対話により、アプリケーションのダウンロードの実行、またはアクセスのような請求可能なイベントが発生する。請求書発行サーバは、最後に、無線ネットワーク中の請求可能なイベントのデータを集め、無線装置の加入者の請求書を生成し、無線装置とサードパーティのコンピュータ装置との請求可能なイベントに対してサードパーティに支払う。
［0008］システムは、各無線装置がコンピュータプラットフォームとそのエンドユーザとを含む１つ以上の無線装置と、アプリケーションおよびサービスを１つ以上の無線装置に無線ネットワークを横切って選択的に与える１つ以上のサードパーティのコンピュータ装置とを含み、無線装置とサードパーティのコンピュータ装置のアプリケーションまたはサービスとの対話により、対話している無線装置の１つ以上の請求可能なイベントが発生する。少なくとも１つの請求書発行サーバは、システムにおいて、無線装置と１つ以上のサードパーティのコンピュータ装置との対話から、少なくとも請求可能なイベントのデータを集め、さらに加えて、サードパーティのコンピュータ装置における請求可能なイベントについての集められた請求可能なイベントのデータに基づいて、サードパーティに支払う。１つの実施形態において、請求書発行サーバは、請求可能なイベントに対する各無線装置の請求書も生成する。
［0009］無線ネットワークへの加入者の無線装置に与えられる、サードパーティのアプリケーションおよびサービスに対する請求書発行方法は、無線装置とサードパーティのコンピュータ装置との対話によって請求可能なイベントを発生させるステップと、請求書発行サーバにおいて請求可能なイベントを請求可能なイベントのデータへ集約するステップと、請求書発行サーバにおいて、請求可能なイベントのデータに基づいて、各請求可能なイベントに対して適切な加入者に請求書を発行するステップと、サードパーティのコンピュータ装置における請求可能なイベントに対してサードパーティに支払うステップとを含む。方法は、請求書発行サーバから無線加入者に請求書を発行するステップ、およびサードパーティのコンピュータ装置に、集められた請求可能なイベントのデータを請求書発行サーバへ伝送するように指示するステップも含むことができる。
［0010］したがって、システムおよび方法は、無線サービスプロバイダが、アプリケーションのダウンロードおよび実行のような、無線ネットワークを介してアクセス可能なサードパーティのコンピュータ装置との無線遠隔通信装置のアクティビティを与えて、請求書を発行することができるようにする。したがって、システムおよび方法は、サービスプロバイダがその加入者にサードパーティの追加の付加価値サービスへのアクセスを許し、有料サービスからの収入を効率的に得て、分配できるといった恩恵を、サービスプロバイダに与える。さらに加えて、請求書発行システムは、加入者が追加のサービスを受取る、またはアクセスするために、サービスプロバイダまたはサードパーティに連絡をとることを要求しない。
［0011］本発明の他の目的、長所、および特徴は、別途記載される図面の間単な説明、発明を実施するための最良の形態、および特許請求の範囲を見直すことによって、より明らかになるであろう。）
　
ハ．「［0017］ With reference to the figures in which like numerals represent like elements throughout,  FIG. 1  illustrates one embodiment of the present inventive system  10  for tracking billable events occurring through wireless devices, such as cellular telephone  12 , in communication across a wireless network  14 , with third party computer devices, such as a third party application download server  30 , that selectively downloads software applications or other data to the wireless devices across a wireless communication portal or other data access to the wireless network  14 . In developing wireless networks  14 , if the end-user of the wireless device desires to download and use a software application, the end-user will attempt to connect to an application download server, either the carrier's server or a third party application download server  30 , through bridging a communication connection to the wireless network  14 , and attempt to access and download the desired software application. Once the wireless device contacts the application download server  30 , an initial contact is made and the application download server  30  can determine what applications and data are available to that wireless device  12 , 18 , 20 , 22  and send the appropriate information, such as a menu ( FIG. 3 ), for display on the wireless device  12 , 18 , 20 , 22  so the end-user can learn of the available applications and services.」（２頁左欄）
（［0017］全体的に同じ参照符号が同じ要素を表わす図面を参照すると、図１は、セルラ電話12のような無線装置が、無線ネットワーク14を横切って、サードパーティのアプリケーションダウンロードサーバ30のようなサードパーティのコンピュータ装置と通信し、サードパーティのアプリケーションダウンロードサーバ30が、ソフトウエアアプリケーションまたは他のデータを、無線通信ポータルを横切って、または無線ネットワーク14への他のデータアクセスで、無線装置へ選択的にダウンロードすることによって発生する請求可能なイベントを追跡する本発明のシステム10の１つの実施形態を示す。無線ネットワーク14の発展において、無線装置のエンドユーザは、ソフトウエアアプリケーションをダウンロードして使用したいとき、無線ネットワーク14への通信接続をブリッジすることによって、アプリケーションダウンロードサーバ、すなわちキャリアのサーバまたはサードパーティのアプリケーションダウンロードサーバに接続し、希望のソフトウエアアプリケーションにアクセスしてダウンロードすることを試みる。無線装置がアプリケーションダウンロードサーバ30に連絡をとると、最初の連絡が行われ、アプリケーションダウンロードサーバ30は、何れのアプリケーションおよびデータが、その無線装置12、18、20、22に使用可能であるかを判断し、メニュー（図３参照）のような適切な情報を、無線装置12、18、20、22上に表示するために送ることができ、エンドユーザは使用可能なアプリケーションおよびサービスについて知ることができる。）
　
ニ．「［0019］ In the system  10 , one or more wireless devices  12 , 18 , 20 , 22  that each selectively communicate with other computer devices across a wireless network  14 , an end-user thereof who can selectively download and execute software applications. The wireless devices  12 , 18 , 20 , 22  to one or more third party computer devices, such as third party application download server  30  and stand-alone server  32 , and the interaction of the wireless devices with the applications of the third party computer devices causes one or more billable events, and at least one billing server  16  gathers at least the billable event data for the billable events from wireless device interaction with the one or more third party computer devices (servers  30  and  32 ). The billable events can be the purchase, download and/or execution of an application, access to a menu, wireless device tools and diagnosis, or any other value-added data interaction between the wireless device  12 , 18 , 20 , 22  and the third party computer device (server  30  and  32 ). The billing server  16  then effects payment of the third party for the billable events at that third parties servers, as is more further described herein.」（２頁右欄）
（［0019］システム10において、１つ以上の無線装置12、18、20、22は、各々が、無線ネットワーク14を横切って他のコンピュータと選択的に通信し、そのエンドユーザは、ソフトウエアアプリケーションを選択的にダウンロードして、実行することができる。無線装置12、18、20、22は、サードパーティのアプリケーションダウンロードサーバ30およびスタンドアローンサーバ32のような、１つ以上のサードパーティのコンピュータ装置と通信し、無線装置がサードパーティのコンピュータ装置のアプリケーションと対話すると、１つ以上の請求可能なイベントが発生し、少なくとも1つの請求書発行サーバ16は、無線装置と１つ以上のサードパーティのコンピュータ装置（サーバ30および32）との対話から請求可能なイベントについての少なくとも請求可能なイベントのデータを集める。請求可能なイベントは、アプリケーションの購入、ダウンロード、および／または実行、メニューへのアクセス、無線装置のツールおよび診断、あるいは無線装置12、18、20、22とサードパーティのコンピュータ装置（サーバ30および32）との間の他の付加価値データの対話である。その後で、ここで別途詳しく記載されるように、請求書発行サーバ16は、サードパーティのサーバにおける請求可能なイベントに対して、そのサードパーティに支払う。）
　
ホ．「［0021］ FIG. 2  is a block diagram that more fully illustrates the components of the wireless network  14  and interrelation of the elements of the system  10 . The wireless network  14  is merely exemplary and can include any system whereby remote modules, such as wireless devices  12 , 18 , 20 , 22 , communicate over-the-air between and among each other and/or between and among components of a wireless network  14 , including, without limitation, wireless network carriers and/or servers. The server side components are a billing server  16 , third party application download server  30 , a billable event database  28 , a wireless device database  34 , and a third party applications database  36 . Other server-side components will be present on the cellular data network with any other components that are needed to provide cellular telecommunication services. ・・・」（２頁右欄）
（［0021］図２は、無線ネットワーク14の構成要素およびシステム10の要素の相互関係をより完全に示すブロック図である。無線ネットワーク14は、単なる代表例であって、無線装置12、18、20、22のような遠隔モジュールは、互いに、または無線ネットワーク14の構成要素（無線ネットワークのキャリアまたはサーバ、あるいはこの両者を制限することなく含む）との間で、あるいはこの両者との間で、空中で通信する。サーバ側構成要素は、請求書発行サーバ16、サードパーティのアプリケーションダウンロードサーバ30、請求可能なイベントのデータベース28、無線装置のデータベース34、およびサードパーティのアプリケーションのデータベース36である。セルラデータネットワーク上には、他のサーバ側構成要素が、セルラ遠隔通信サービスを与えるのに必要な他の構成要素と共に存在する。・・・）
　
ヘ．「［0026］ The system  10  allows a third party, such as an independent software vendor or developer, either through the third parties own computer devices or through a network carrier  40  servers, to provide its software applications as downloadable to the wireless device. A multitude of computer devices can be involved in the ultimate delivery of applications and services, and the wireless device  12 , 18 , 20 , 22  can make several accesses to one or more third party computer devices. ・・・Unless the payment of the third party vendor and developers is automatic, ・・・」（３頁右欄）
（［0026］システム10では、独立のソフトウエアの製造者または開発者のようなサードパーティが、サードパーティ自身のコンピュータ装置またはネットワークキャリア40のサーバを介して、無線装置にダウンロードできるソフトウエアアプリケーションを与えることができる。多数のコンピュータ装置が、アプリケーションおよびサービスの最終的な配信に関係することができ、無線装置12、18、20、22は、1つ以上のサードパーティのコンピュータ装置へいくつかのアクセスをすることができる。・・・サードパーティの製造者および開発者の支払いが自動的でないならば、・・・）
　
ト．「［0028］ To illustrate the possible services provided from the third party application download server  30  to the wireless devices  12 , 18 , 20 , 22 ,  FIG. 3  is a partial view  60  of the display  13  having an menu  62  displayed thereon listing potential interactions with the download server  30 . Simple data for display at the wireless device is shown in an available news section  64 , wherein the wireless device will pay for simple access to the data. Further, a plurality of applications downloadable to wireless devices  12 , 18 , 20 , 22 , from the third party application download server  30  is shown in section  66 . The subscriber for the wireless device (end-user or not) will be discretely billed if one or more of the applications are downloaded.」（４頁左欄）
（［0028］サードパーティのアプリケーションダウンロードサーバ30から無線装置12、18、20、22へ与えられる可能なサービスを示すために、図３は、メニュー62を表示したディスプレイ13の部分図60であり、メニュー62には、ダウンロードサーバ30との潜在的な対話が載せられている。無線装置に表示するための単純なデータは、利用できるニュースセクション64に示されていて、無線装置は、データへの単純なアクセスに対して支払う。さらに加えて、サードパーティのアプリケーションダウンロードサーバ30から無線装置12、18、20、22へダウンロードできる複数のアプリケーションは、セクション66に示されている。無線装置の加入者（エンドユーザであっても、そうでなくてもよい）は、アプリケーションの１つ以上がダウンロードされると、個別に請求される。）
　
　上記引用例の記載及び図面を参照すると、上記イ．［0002］の「・・・the invention relates to a system and method that permits third party application sales and services to wireless telecommunication devices across a wireless network・・・」の記載から、引用例の発明は、「無線ネットワークを介して」、「無線通信装置」に「サードパーティ」の「アプリケーション」を「販売する」「システム」である。
　そして、上記ヘ．［0026］の「The system  10  allows a third party, such as an independent software vendor or developer, ・・・」及び「Unless the payment of the third party vendor and developers is automatic, ・・・」という記載から、「サードパーティ」は「ソフトウェア」の「開発者」であり、「開発者」が複数存在することも明らかである。
　上記ロ．［0007］の「The present invention is a system, ・・・for billing wireless device subscribers for their interaction with applications and services resident on third party computer devices that are accessible through a wireless network. The wireless devices, such as cellular telecommunication devices, communicate with other computer devices across a wireless network・・・」という記載から、「アプリケーション」は「サードパーティ」の「コンピュータ装置」上に保持され、該「コンピュータ装置」は「無線ネットワーク」を介して「セルラ通信装置」のような「無線装置」により「アクセス可能」なものであって、「アプリケーション」は複数存在すること、「アプリケーション」を提供する「コンピュータ装置」も複数存在することは明らかである。また、「無線装置」を「無線通信装置」といえることも明らかである。
　上記ロ．［0007］の「Also on the wireless network are third party computer devices, such as application download servers,・・・ 」及び同ニ．［0019］の「The wireless devices  12 , 18 , 20 , 22  to one or more third party computer devices, such as third party application download server  30・・・」という記載から、「サードパーティ」の「コンピュータ装置」は「ダウンロードサーバ」でもあり、「無線ネットワーク上」のものである。
　上記ニ．［0019］の「In the system  10 , one or more wireless devices  12 , 18 , 20 , 22  that each selectively communicate with other computer devices across a wireless network  14 , an end-user thereof who can selectively download and execute software applications.」という記載から、「無線装置」は「無線ネットワーク」を介して「他のコンピュータ装置と選択的に通信し」、「アプリケーションを選択的にダウンロードし、実行する」ものであり、上記ロ．［0007］の「・・・the interaction of the wireless devices with the applications of the third party computer devices・・・」、同［0008］の「・・・the interaction of the wireless devices with the applications or services of the third party computer devices ・・・」及び同ニ．[0019］の「The wireless devices  12 , 18 , 20 , 22  to one or more third party computer devices, such as third party application download server  30  and stand-alone server  32 , and the interaction of the wireless devices with the applications of the third party computer devices causes・・・」という記載から、「無線装置」は「サードパティ」の「コンピュータ装置」と「対話」するものといえる。
　上記ロ．［0010］の「The system and method accordingly allow wireless service providers the ability to provide and bill for wireless telecommunication device activity, such as application download and execution, with third party computer devices accessible through the wireless network.」及び「The system and method accordingly give an advantage to the service provider in that the provider can give its subscribers access to additional value-added services of third parties and effectively capture and share the revenue from the billed services.」という記載から、「無線サービスプロバイダ」は「無線装置」が「アプリケーションのダウンロードや実行」のような「サードパーティコンピュータ装置」との「アクティビティ」を提供する、あるいは、「無線サービスプロバイダ」は「その加入者」に「サードパーティ」の「付加価値サービス」へ「アクセス」させることができるものであり、「無線装置」は「無線サービスプロバイダ」の無線通信サポートを受けることは明らかである。
　上記ハ．［0017］の「Once the wireless device contacts the application download server  30 , an initial contact is made and the application download server  30  can determine what applications and data are available to that wireless device  12 , 18 , 20 , 22  and send the appropriate information, such as a menu ( FIG. 3 ), for display on the wireless device  12 , 18 , 20 , 22  so the end-user can learn of the available applications and services.」という記載、同ト．［0028］の記載及び図３から、「ダウンロードサーバ３０」は「無線装置」に使用可能な「アプリケーション」の「メニューのような情報」を提供するものである。
　上記ロ．［0008］の「At least one billing server is in the system that gathers at least the billable event data from wireless device interaction with the one or more third party computer devices, ・・・the billing server also generates a bill for each wireless device for the billable events.」という記載から、引用例のシステムは「ビリングサーバ」を備え、当該「ビリングサーバ」は「無線装置」と「サードパーティ」の「コンピュータ装置」との対話から「請求可能なイベントのデータ」を集め、当該「請求可能なイベント」に対する「請求書」を「無線装置」に「発生する」ものであり、同ニ．［0019］の「・・・the interaction of the wireless devices with the applications of the third party computer devices causes one or more billable events,・・・」という記載から、「無線装置」と「サードパーティ」の「コンピュータ装置」の「アプリケーション」との対話によって、「請求可能なイベント」が「発生する」ものであるから、「ビリングサーバ」は、「無線装置」と「サードパーティ」の「コンピュータ装置」の「アプリケーション」との「対話」に対して「請求書」を「発生する」ものといえる。
　上記ホ．［0021］の「The wireless network  14  is merely exemplary and can include any system whereby remote modules, such as wireless devices  12 , 18 , 20 , 22 , communicate over-the-air between and among each other and/or between and among components of a wireless network  14 , including, without limitation, wireless network carriers and/or servers. The server side components are a billing server  16 , third party application download server  30 ,・・・ 」という記載から、「ビリングサーバ」を含む複数のサーバは「無線ネットワーク」の構成要素であるから、「ビリングサーバ」は「無線ネットワーク上」のものといえる。
　したがって、上記引用例には、以下の発明（以下、「引用発明」という。）が記載されている。 
「複数の開発者であるサードパーティの複数のアプリケーションへのアクセスを提供し、無線ネットワークを介して無線装置によりアクセス可能なサードパーティのアプリケーションの販売システムにおいて、
前記無線ネットワーク上のサードパーティのコンピュータ装置と選択的に対話し、アプリケーションを選択的にダウンロードし、実行する前記無線装置であって、前記無線装置は無線通信のサポートを提供する無線サービスプロバイダを有する、前記無線装置と、
　前記無線装置が使用可能な複数のアプリケーションのメニューのような情報を提供し、アプリケーションを保持し提供する前記サードパーティのコンピュータ装置と、
前記サードパーティのコンピュータ装置上のアプリケーションとの対話に対して請求書を発生する前記無線ネットワーク上のビリングサーバと、
を備えたシステム。」
　　
３．対比 
　本願発明と引用発明を比較すると、引用発明の「サードパーティ」も「複数の開発者」であることから、本願発明の「複数の開発者」と差違はなく、本願発明の「１つ以上のアプリケーションまたはサービスへのアクセス」は、「１つ以上」の「アプリケーション」と「サービス」のいずれかにアクセスできればよいものであるから、引用発明の「複数の開発者であるサードパーティの複数のアプリケーションへのアクセス」と本願発明の「複数の開発者からの１つ以上のアプリケーションまたはサービスへのアクセス」とは差違はない。
　引用発明の「無線ネットワーク」、「無線装置」と本願発明の「無線ネットワーク」、「無線装置」も差違はないので、引用発明の「無線ネットワークを介して無線装置によりアクセス可能なサードパーティのアプリケーションの販売システム」と本願発明の「無線ネットワークを介して無線装置によりアクセス可能な仮想市場を提供するシステム」は、いずれも「無線ネットワークを介して無線装置によりアクセス可能なシステム」という点で一致する。
　そして、引用発明の「無線装置」は「サードパーティのコンピュータ装置」と対話するとともに、上記ニ．［0019］の「In the system  10 , one or more wireless devices  12 , 18 , 20 , 22  that each selectively communicate with other computer devices across a wireless network  14 , an end-user thereof who can selectively download and execute software applications.」には、「無線装置」は「他のコンピュータ装置と選択的に通信し」、「アプリケーションを選択的にダウンロードすることができる」ことが記載され、「サードパーティのコンピュータ装置」は「他のコンピュータ装置」ともいえることは明らかであるから、引用発明の「無線ネットワーク上のサードパーティのコンピュータ装置と選択的に対話し、アプリケーションを選択的にダウンロードし、実行する」と本願発明の「無線ネットワーク上の他のコンピュータ装置と選択的に対話し、アプリケーションを選択的にダウンロードし実行する」は実質的な差違はなく、また、引用発明の「無線サービスプロバイダ」は本願発明の「通信事業者」に相当し、引用発明の「無線装置」は「無線通信装置」ともいえることから、本願発明の「無線遠隔通信手段」と実質的な差違はない。
　さらに、引用発明の「サードパーティのコンピュータ装置」は「無線ネットワーク上の」ものであるから、引用発明の「サードパーティのコンピュータ装置」が「保持」することと本願発明の「無線ネットワーク上のコンピュータ装置により保持され」ることは実質的な差違はない。
　続いて、引用発明の「複数のアプリケーションのメニューのような情報を提供」することは複数のアプリケーションをリストアップするものといえるので、引用発明の「無線装置が使用可能な複数のアプリケーションのメニューのような情報を提供」することと本願発明の「無線遠隔通信手段の通信事業者によりアクセス可能な１つ以上のアプリケーションをリストアップする」ことは、「1つ以上のアプリケーションをリストアップする」という点で一致し、引用発明の「サードパーティのコンピュータ装置」は「ダウンロードサーバ」でもあり、「アプリケーション」を提供するものであるから、引用発明の「サードパーティのコンピュータ装置」と本願発明の「アプリケーション供給手段」はいずれも「アプリケーション供給手段」という点で一致する。
　また、引用発明の「サードパーティのコンピュータ装置上のアプリケーションとの対話に対して請求書を発行する前記無線ネットワーク上のビリングサーバ」と本願発明の「アプリケーション供給手段上のアプリケーションの少なくとも１つとの対話に対して請求する前記無線ネットワーク上の請求手段」、「請求手段は無線ネットワーク上のビリングサーバーにより、さらに前記少なくとも１つのアプリケーションとの前記対話に対して請求書をさらに発生する請求手段」は、いずれも「アプリケーション供給手段上のアプリケーションとの対話に対して請求書を発生する前記無線ネットワーク上のビリングサーバー」を備える点で一致する。
　したがって、本願発明と引用発明は、以下の点で一致ないし相違する。
　
＜一致点＞ 
「複数の開発者からの１つ以上のアプリケーションまたはサービスへのアクセスを提供し、無線ネットワークを介して無線装置によりアクセス可能なシステムにおいて、
　前記無線ネットワーク上の他のコンピュータ装置と選択的に対話し、アプリケーションを選択的にダウンロードし実行する無線遠隔通信手段であって、前記無線遠隔通信手段は、無線通信サポートを提供する通信事業者を有する、手段と、
　前記無線ネットワーク上のコンピュータ装置により保持される、1つ以上のアプリケーションをリストアップするアプリケーション供給手段と、
　前記アプリケーション供給手段上のアプリケーションの少なくとも１つとの対話に対して請求書を発行する前記無線ネットワーク上のビリングサーバーと、
を備えたシステム。」 
　
＜相違点＞ 
（１）上記「無線ネットワークを介して無線装置によりアクセス可能なシステム」に関し、本願発明は「仮想市場を提供するシステム」であるのに対し、引用発明は「サードパーティのアプリケーションの販売システム」である点。
（２）上記「１つ以上のアプリケーションをリストアップするアプリケーション供給手段」に関し、本願発明は「前記無線遠隔通信手段の通信事業者によりアクセス可能な１つ以上のアプリケーションをリストアップする」のに対し、引用発明は「前記無線装置（無線遠隔通信手段）が使用可能な複数（１つ以上）のアプリケーションのメニューのような情報を提供（リストアップ）」する点。
（３）上記「ビリングサーバー」に関し、本願発明は「前記アプリケーション供給手段上のアプリケーションの少なくとも１つとの対話に対して請求する前記無線ネットワーク上の請求手段であって、前記請求手段は無線ネットワーク上のビリングサーバーにより、さらに前記少なくとも１つのアプリケーションとの前記対話に対して請求書をさらに発生する請求手段」であるのに対し、引用発明は当該「請求手段」という構成を明示していない点。
　
４．検討 
　まず、上記相違点（１）について検討する。
　ユーザや顧客がネットワークを介して商品やサービスを提供する者のサーバにアクセスできるようにして仮想市場を構成することは、周知（例えば、特開２００１−１９５４５１号公報（【００３１】、図１）、特開２００２−７８３９号（【００１０】〜【００１２】、図１）のことであるから、アプリケーションを提供するアプリケーションダウンロードサーバである「サードパーティのコンピュータ装置」にユーザがネットワークを介してアクセスすることにより、アプリケーションを販売する引用発明の構成を「仮想市場」を「提供する」ものとすることは、当業者であれば適宜なし得ることである。
　次に、上記相違点（２）について検討する。
　上記「２．引用発明」の上記ロ．［0010］の「The system and method accordingly allow wireless service providers the ability to provide and bill for wireless telecommunication device activity, such as application download and execution, with third party computer devices accessible through the wireless network.」及び「The system and method accordingly give an advantage to the service provider in that the provider can give its subscribers access to additional value-added services of third parties and effectively capture and share the revenue from the billed services.」という記載から、引用発明の「無線装置が使用可能な」「複数のアプリケーション」は、「無線サービスプロバイダ」が「無線装置」に「無線ネットワークを介して」アクセスさせることができるものであるから、本願発明の「無線遠隔通信手段の通信事業者によりアクセス可能な」「１つ以上のアプリケーション」と実質的な差違はない。
　さらに、上記相違点（３）について検討する。
　本願発明の「前記アプリケーション供給手段上のアプリケーションの少なくとも１つとの対話に対して請求する前記無線ネットワーク上の請求手段」は、「無線ネットワーク上のビリングサーバ−」が「少なくとも１つのアプリケーションとの前記対話に対して請求書」を「発生する」するものと異なるものとは認められないことから、当該相違点に係る構成は実質的な差違ではない。
　そして、本願発明の作用効果も引用発明及び周知技術から当業者が予測できる範囲のものである。 
　
５．むすび 
　以上のとおり、本願発明は、上記引用例に記載された発明及び周知技術に基づいて、当業者が容易に発明をすることができたものと認められるから、特許法第２９条第２項の規定により特許を受けることができない。 
　
　よって、結論のとおり審決する。